(57)【要約】【課題】  素材の変化に富み、ビーズを組み込んだ装飾紐及びその装飾紐を用いたアクセサリーを提供する。【解決手段】  結合線と、装飾線で構成する装飾紐であって、前記結合線及び、前記装飾線として、ワイヤー、テグス、リボン又は紐のいずれか一以上を採用し、一以上の前記結合線と一以上の前記装飾線を交差させながら巻きつけ、前記交差の連続により作られた装飾紐、及び前記結合線にビーズを挿入し、前記交差とビーズの挿入の連続により作られた装飾紐を提供する。【選択図】図１
2006265766.tif 000002
【特許請求の範囲】
【請求項１】
結合線と、装飾線で構成する装飾紐であって、前記結合線及び前記装飾線として、各々ワイヤー、テグス、リボン又は紐のいずれか一以上を採用し、一以上の前記結合線と一以上の前記装飾線を交差させながら巻きつけ、前記交差の連続により作られた装飾紐。
【請求項２】
前記結合線としてビーズの穴を通る細さの結合線を採用し、その結合線にビーズを挿入し、前記交差とビーズの挿入の連続により作られた請求項1記載の装飾紐。
【請求項３】
各々一以上の前記結合線と前記装飾線の片側先端、もしくは二つ折りした点を固定して始点とし、水平に並べた前記結合線と前記装飾線の一方から順に上からと下からの交差を繰り返し、前記交差の連続により装飾紐を製造することを特徴とする請求項１の装飾紐の製造方法。
【請求項４】
前記結合線にビーズを挿入し、前記交差とビーズの挿入の連続により装飾紐を製造することを特徴とする請求項3記載の製造方法。
【請求項５】
請求項１又は請求項２記載の装飾紐を有することを特徴とするアクセサリー
【発明の詳細な説明】
【技術分野】
【０００１】
本発明は、結合線と装飾線とビーズとで構成する装飾紐及びこれを有するアクセサリーならびに装飾紐の製造方法に関する。
【背景技術】
【０００２】
従来の日本の組紐は台を使って束ねた絹糸を組むか、太いレース紐のみを手で交差させて帯締めを組むものである。
【０００３】
麻や綿の太い紐を用いたアクセサリーは、大きな穴のビーズを通した単調なものが多い。
【０００４】
特許文献１記載の装飾紐は、透明軟質樹脂で形成されており素材が一種類で単調である。
【特許文献１】特開２０００−２１７６１７
【発明の開示】
【発明が解決しようとする課題】
【０００５】
以上に述べた従来の日本の組紐は、台を使って束ねた絹糸を組むか、手で太いレース紐のみを交差させて帯締めを組んでいた。麻や綿の紐を用いたアクセサリーでも糸が太いため、大きな穴のビーズしか通らない。素材も一種類のため変化に乏しく単調なものが多い。
【０００６】
本発明はこうした問題点を解決しようとしたものであり、素材の変化に富み、ビーズを組み込んだ装飾紐及びその装飾紐を用いたアクセサリーを提供することを目的としている。
【課題を解決するための手段】
【０００７】
請求項１記載の装飾紐は、前記結合線と、前記装飾線で構成する装飾紐であって、前記結合線及び前記装飾線として、各々ワイヤー、テグス、リボン又は紐のいずれか一以上を採用し、一以上の前記結合線と一以上の前記装飾線を交差させながら巻きつけ、前記交差の連続により作られることを特徴とする。
【０００８】
請求項２記載の装飾紐は、ビーズの穴を通る細さの前記結合線と、前記装飾線と、ビーズとで構成する装飾紐であって、前記結合線及び前記装飾線として、各々ワイヤー、テグス、リボン又は紐のいずれか一以上を採用し、一以上の前記結合線と一以上の前記装飾線を交差させながら巻きつけ、前記結合線にビーズを挿入し、前記交差とビーズの挿入の連続により作られることを特徴とする。
【０００９】
請求項３記載の製造方法は、請求項１記載の装飾紐の製造方法である。各々一以上の前記結合線と前記装飾線の片側先端、もしくは二つ折りにした点を固定して始点とし、水平に並べた前記結合線と前記装飾線の右端の一本を持ち、右から二番目の線の上から交差、三番目の線の下から交差、次に四番目の線の上から交差と、交差を繰り返し最後に左端に置く。次に右から二番目の線が前記のように上からと下からの交差を繰り返し、移動して左端になる。このような交差の連続により、装飾紐を製造することを特徴とする。ここでは右側から組んでいく説明をしているが、左側からでも同様である。請求項３記載のようにどちらからも発明の範囲に含まれる。
【００１０】
請求項４記載の製造方法は請求項２記載の装飾紐の製造方法であり、前記結合線へのビーズの挿入と請求項３記載の交差との連続により装飾紐を製造することを特徴とする。
【００１１】
請求項５記載のアクセサリーは、請求項１及び請求項２記載の装飾紐を用いたものである。例えば、請求項1記載の装飾紐を８の字状に交差し、次に中心を重ねながら８の字の交差を放射線状に繰り返し、花の形を作り、残りの結合線で中心を固定しつつビーズを装飾するとコサージュになる。
【発明の効果】
【００１２】
上述したように本発明の請求項１記載の装飾紐は、前記結合線と前記装飾線の本数や素材の組み合わせにより、太さも素材も多様で変化に富んだ装飾紐を提供する。
【００１３】
請求項２記載の装飾紐は、前記結合線をビーズの穴を通る細さとすることにより、前記装飾紐とビーズとの融合を可能にし、変化に富んだ、高い装飾効果を発揮することになる。
請求項２記載の装飾紐の、前記結合線として、塑性の高いワイヤーを使用した場合、装飾紐の形を自在に形成することが可能になり、交差による撚りを修正し、挿入したビーズを自在な方向に設置することが可能になる。
【００１４】
請求項３及び請求項４記載の製造方法は、前記結合線、前記装飾線の本数の増減により、装飾紐の幅を自由に調節でき、多くの交差により強度の高い装飾紐を提供する。前記結合線、前記装飾線とビーズの配置と素材の組み合わせにより、交差の連続による美しさをもつ装飾紐を提供する。
【００１５】
請求項５記載のアクセサリーの一例としてコサージュの場合、前記結合線に塑性の高いワイヤーを使用すると、装飾紐の形を自在に形成、保持できるため、コサージュの花の立体的で美しい形を形成保持することが出来る。また前記結合線として細い素材を用いることにより、アクセサリー製造に用いる道具との結合が容易になり、多種のアクセサリー製造が可能となる。
【発明を実施するための最良の形態】
【００１６】
以下、本発明の装飾紐の実施例として、携帯電話用ストラップの形態を図１に、その製造方法を図２〜図４に、装飾紐を用いたアクセサリーとしてコサージュの形態を図５に説明する。
【００１７】
図２、図３、図４において２本の結合線Ａ、Ｃは１本の結合線を中心Ｚで二つ折りしたものであり、素材はワイヤーである。２本の装飾線Ｂ、Ｄは１本の装飾線を中心Ｚで二つ折りしたもので、素材は化繊の紐である。Ｅはビーズである。
【００１８】
結合線Ａ、Ｃと装飾線Ｂ、Ｄ各１本を中心Ｚで固定して二つ折りし、右から結合線Ａ、装飾線Ｂ、結合線Ｃ、装飾線Ｄとして図２（１）で示すように水平に並べる。この例では図２中に示すように結合線Ａ、Ｂ、装飾線Ｃ、Ｄは動くたびに各々１、２、３、４と名前をつけている。
【００１９】
図２中（２）に示すように結合線Ａ１を装飾線Ｂ１の上、結合線Ｃ１の下、装飾線Ｄ１の上を通って左端の結合線Ａ２の位置に置く。
次に図２中（３）に示すように装飾線Ｂ１を結合線Ｃ1の上、装飾線Ｄ１の下、結合線Ａ２の上を通って左端の装飾線Ｂ２の位置に置く。
次に図２中（４）に示すように結合線Ｃ１を装飾線Ｄ1の上、結合線Ａ２の下、装飾線Ｂ２の上を通って左端の結合線Ｃ２の位置に置く。
次に図２中（５）に示すように装飾線Ｄ１を結合線Ａ２の上、装飾線Ｂ２の下、結合線Ｃ２の上を通って左端の装飾線Ｄ２の位置に置く。
【００２０】
次に図２中（６）に示すように結合線Ａ２を装飾線Ｂ２の上、結合線Ｃ２の下、装飾線Ｄ２の上を通って、左端の結合線Ａ３の位置に置く。
次に図２中（７）に示すようにビーズＥ１を結合線Ｃ２に通す。
次に図２中（８）に示すように装飾線Ｂ２を結合線Ｃ２の上、装飾線Ｄ２の下、結合線Ａ３の上を通って左端の装飾線Ｂ３の位置に置く。
次に図２中（９）に示すように結合線Ｃ２を装飾線Ｄ２の上、結合線Ａ３の下、装飾線Ｂ３の上を通って左端の結合線Ｃ３の位置に置く。
次に図３中（１０）に示すように装飾線Ｄ２を結合線Ａ３の上、装飾線Ｂ３の下、結合線Ｃ３の上を通って左端の装飾線Ｄ３の位置に置く。
【００２１】
次に図３中（１１）に示すように結合線Ａ３を装飾線Ｂ３の上、結合線Ｃ３の下、装飾線Ｄ３の上を通って左端の結合線Ａ４の位置に置く。
次に図３中（１２）に示すようにビーズＥ２を結合線Ｃ３に通す。
次に図４中（１３）に示すように装飾線Ｂ３を結合線Ｃ３の上、装飾線Ｄ３の下、結合線Ａ４の上を通って左端の装飾線Ｂ４の位置に置く。
次に図４中（１４）に示すように結合線Ｃ３を装飾線Ｄ３の上、結合線Ａ４の下、装飾線Ｂ４の上を通って左端の結合線Ｃ４の位置に置く。
次に図４中（１５）に示すように装飾線Ｄ３を結合線Ａ４の上、装飾線Ｂ４の下、結合線Ｃ４の上を通って左端の装飾線Ｄ４の位置に置く。
次に図２中（６）から図４中（１５）を３回繰り返し、図２中（６）から図４中（１４）に示す作業を行う。
最後尾を前端部に重ね、図１に示すように全体としてリング状にし、結合線Ｃの末端部分で始点Ｚと結合する。
さらに結合線Ａの末端部分を利用して、携帯電話に接続するための結合用小リングＹを形成する。
【００２２】
以上、本発明の請求項１〜４記載の装飾紐の実施形態について説明したが、本発明は、かかる実施形態に限定されるものではなく、その要旨を逸脱しない範囲で種々の変形が可能であることは言うまでも無い。
【００２３】
前記実施形態では、請求項２記載の装飾紐として、携帯電話用ストラップを例に説明したが、例えばブレスレット、ネックレス、ベルト、コサージュ、時計のバンド等に実施することが出来る。
【図面の簡単な説明】
【００２４】
【図１】実施形態の携帯電話用ストラップの説明図
【図２】実施形態の携帯電話用ストラップの製造方法の第一段階を示す説明図
【図３】実施形態の携帯電話用ストラップの製造方法の第二段階を示す説明図
【図４】実施形態の携帯電話用ストラップの製造方法の第三段階を示す説明図
【図５】実施形態のアクセサリーとしてのコサージュの説明図
【符号の説明】
【００２５】
Ａ      結合線
Ｂ      装飾線
Ｃ      結合線
Ｄ      装飾線
Ｅ      ビーズ
Ｆ      装飾紐
Ｙ      結合用小リング
Ｚ      結合線と装飾線の中心点
【図１】
2006265766.tif 000003
【図２】
2006265766.tif 000004
【図３】
2006265766.tif 000005
【図４】
2006265766.tif 000006
【図５】
2006265766.tif 000007